(57)【要約】【課題】  有機発光ダイオードディスプレイパネル装置とその製造方法の提供。【解決手段】  基板、導電線層、保護層、有機発光ダイオード構造及びパッケージ体を包含し、先ず導電線層を基板上に形成し、更に保護樹脂を基板上のディスプレイ領域と非ディスプレイ領域にコーティングし、且つ有機発光ダイオード構造を基板上のディスプレイ領域に蒸着し、且つ導電線層と接続し（電気的接続）、更に有機発光ダイオード構造を基板上にパッケージし、これにより二次保護樹脂コーティング工程を不要とし、且つコーティング工程を容易とし、並びに保護樹脂を良好に基板上に粘着させ、これにより工程ステップ数と加工時間を減らすと共に、工程費用を減らす。【選択図】        図６
2006049318.tif 000002
【特許請求の範囲】
【請求項１】
有機発光ダイオードディスプレイパネル装置において、
表面にディスプレイ領域と非ディスプレイ領域を具え、且つ該ディスプレイ領域と該非ディスプレイ領域が隣接している、基板と、
該基板の一表面上に配設され、且つ該ディスプレイ領域及び該非ディスプレイ領域に延伸された、少なくとも一つの導電線層と、
該基板の該ディスプレイ領域と該非ディスプレイ領域に配設され、且つ少なくとも一つの導電線層を被覆し、並びにディスプレイ領域と非ディスプレイ領域の一部導電線層を露出させる、少なくとも一つの保護層と、
該ディスプレイ領域に配置された保護層上及び該ディスプレイ領域の露出した一部導電線層を上に配設された、少なくとも一つの有機発光ダイオード構造と、
少なくとも一つの有機発光ダイオード構造を基板のディスプレイ領域において被覆し、且つ少なくとも一つの保護層上に粘着されたパッケージ体と、
を包含したことを特徴とする、有機発光ダイオードディスプレイパネル装置。
【請求項２】
請求項１記載の有機発光ダイオードディスプレイパネル装置において、少なくとも一つの導電線層が金属導電線及びインジウム錫酸化物導電線を包含することを特徴とする、有機発光ダイオードディスプレイパネル装置。
【請求項３】
請求項１記載の有機発光ダイオードディスプレイパネル装置において、少なくとも一つの保護層がホトレジスト材料層とされたことを特徴とする、有機発光ダイオードディスプレイパネル装置。
【請求項４】
請求項１記載の有機発光ダイオードディスプレイパネル装置において、少なくとも一つの保護層がポリイミド材料とされたことを特徴とする、有機発光ダイオードディスプレイパネル装置。
【請求項５】
請求項１記載の有機発光ダイオードディスプレイパネル装置において、基板の表面に更に外部電気的接続領域が包含され、且つ少なくとも一つの導電線層が該外部電気的接続領域に延伸されたことを特徴とする、有機発光ダイオードディスプレイパネル装置。
【請求項６】
有機発光ダイオードディスプレイパネル装置の製造方法において、
基板を提供し、この基板の表面にはディスプレイ領域と非ディスプレイ領域があり、該ディスプレイ領域及び該非ディスプレイ領域は隣接するものとする工程、
少なくとも一つの導電層を該基板上に形成し、且つ該ディスプレイ領域及び該非ディスプレイ領域及び外部電気接続領域に延伸する工程、
保護層を該基板上に配設し、且つ該基板上の該ディスプレイ領域と該非ディスプレイ領域を被覆させ、且つ該ディスプレイ領域及び該非ディスプレイ領域の一部の導電線を露出させる工程、
少なくとも一つの有機発光ダイオード構造を該基板上のディスプレイ領域に配設し、且つ電気的にこれら導電線に接続する工程、
少なくとも一つの有機発光ダイオード構造を該基板のディスプレイ領域上にパッケージする工程、
以上の工程を包含することを特徴とする、有機発光ダイオードディスプレイパネル装置の製造方法。
【請求項７】
請求項６記載の有機発光ダイオードディスプレイパネル装置の製造方法において、保護層の基板上への配設にはコーティング工程を採用することを特徴とする、有機発光ダイオードディスプレイパネル装置の製造方法。
【請求項８】
請求項６記載の有機発光ダイオードディスプレイパネル装置の製造方法において、保護層の基板上への配設にはディスペンサーを使用することを特徴とする、有機発光ダイオードディスプレイパネル装置の製造方法。
【請求項９】
請求項６記載の有機発光ダイオードディスプレイパネル装置の製造方法において、少なくとも一つの有機発光ダイオード構造を基板のディスプレイ領域上に配設するのにシーるカバーを利用することを特徴とする、有機発光ダイオード構造。
【請求項１０】
請求項６記載の有機発光ダイオードディスプレイパネル装置の製造方法において、基板の表面に更に外部電気的接続領域があり且つ非ディスプレイ領域に隣接し、且つ少なくとも一つの導電層が該非ディスプレイ領域に延伸されて電気的接続装置と電気的に接続されたことを特徴とする、有機発光ダイオードディスプレイパネル装置の製造方法。
【発明の詳細な説明】
【技術分野】
【０００１】
本発明は一種の有機発光ダイオードディスプレイパネル装置とその製造方法に係り、特に工程ステップ数を減らすことができる有機発光ダイオードディスプレイパネル装置に関する。
【背景技術】
【０００２】
一般にフラットディスプレイ（ＬＣＤ或いはＯＬＥＤ）は基板上に露出した電極導線を具え、且つこの環境中に露出した電極導線は極めて容易に環境中の湿気及び温度の影響により腐蝕し、短絡或いは回路切断をもたらす。このため急速にディスプレイの寿命を短縮させる。
【０００３】
ゆえに、図１に示されるように、周知の有機発光ダイオードディスプレイパネル装置１０ａはこの露出した電極導線腐蝕の問題を解決するため、パッケージ完成した有機発光ダイオードディスプレイパネル装置１０ａの露出基板１１ａ上に一層の保護層１２ａをコーティングして基板１１ａ上の電極導線１３ａを保護し、並びに外部と電気的に接続させる部品（図示せず）の未コーティング面積１４ａを露出させえて、外部との電気的接続部品と基板１１ａ上の電極導線１３ａを電気的に接続する。これにより保護層１２ａが基板１１ａ上の電極導線１３ａを保護して、環境中の水気と電極導線１３ａとの接触を防止し、これにより電極導線１３ａの腐蝕を防止する。
【０００４】
しかし、周知のディスプレイ部品の電極導線腐蝕問題の解決方法には欠点がある。そのうち、有機発光ダイオードディスプレイパネル装置１０ａの製造方法のステップは以下のようである。
Ａ．図３のように、基板１１ａを提供する。
Ｂ．基板１１ａ上に電極導線１３ａを形成する。
Ｃ．基板１１ａのディスプレイ領域１７ａに先に保護層１２ａをコーティングし、且つディスプレイ領域１７ａの一部の電極導線１３ａを露出させる。
Ｄ．図４に示されるように、更に有機発光ダイオードディスプレイパネル装置１５ａを保護層１２ａ及びディスプレイ領域１７ａの電極導線１３ａ上に蒸着する。
Ｅ．図５は、パッケージ工程を利用し、パッケージ体１６ａで有機発光ダイオードディスプレイパネル装置１５ａを基板１１ａのディスプレイ領域１７ａ上に密封パッケージする。
Ｆ．図２に示されるように、更にパッケージ体１６ａ外の露出した基板１１ａ上の保護層１２ａコーティング工程を行い、且つコーティング工程にはディスペンサー（Ｄｉｓｐｅｎｓｅｒ）を利用し、保護樹脂を基板１１ａ及び電極導線１３ａ上にコーティングし、且つ往々にしてパッケージ体１６ａの形状及びその他の制限により、保護樹脂は均一にはパッケージ１６ａ外に露出した基板１１ａ上にコーティングしにくく、このため保護樹脂１２ａのキュア程度が不良となり、並びに多くの欠陥を発生し、このためコーティング品質の善し悪しに影響を与える。ゆえに、有効に環境中の水気の基板１１ａと保護層１２ａの間へのしみこみを隔離できず、保護層１２ａに被覆された電極導線１３ａに腐蝕問題が発生する。また、基板１１ａの二回の保護樹脂コーティング工程のために工程ステップ数が増し、且つ加工時間が延長され、また製造コストが高くなり、製品の競争力が失われる。
【発明の開示】
【発明が解決しようとする課題】
【０００５】
本発明は一種の有機発光ダイオードディスプレイパネル装置とその製造方法を提供し、それは有機発光ダイオード構造をガラス基板上に蒸着する前に、保護層を基板のディスプレイ領域と非ディスプレイ領域にコーティングし、これにより保護層とガラス基板が緊密に連結し、こうして工程ステップと加工時間を減らし、並びにコストを減らし、またキュア後の保護層に基板上の導電線を保護させて、導電線が湿気及び温度の影響により腐蝕するのを防止する。
【０００６】
前述の目的のために、本発明は一種の有機発光ダイオードディスプレイパネル装置を提供し、基板、少なくとも一つの導電線層、少なくとも一つの保護層、少なくとも一つの有機発光ダイオード構造及びパッケージ体を包含し、そのうち、基板の表面はディスプレイ領域と非ディスプレイ領域を具え、少なくとも一つの保護層が該基板の該ディスプレイ領域及び該非ディスプレイ領域に配設され、且つその上を少なくとも一つの導電線層が被覆し、並びに該ディスプレイ領域及び該非ディスプレイ領域の一部の伝動層が露出し、この少なくとも一つの有機発光ダイオード構造が該ディスプレイ領域の保護層上及び露出した少なくとも一つの導電線層が配設され、このパッケージ体が少なくとも一つの有機発光ダイオード構造を基板のディスプレイ領域において被覆し、且つ少なくとも一つの保護層上に粘着される。
【０００７】
別に、一種の有機発光ダイオードディスプレイパネル装置の製造方法は以下の工程を包含する。
【０００８】
基板を提供し、この基板の表面にはディスプレイ領域と非ディスプレイ領域があり、該ディスプレイ領域及び該非ディスプレイ領域は隣接するものとする工程、
【０００９】
少なくとも一つの導電層を該基板上に形成し、且つ該ディスプレイ領域及び該非ディスプレイ領域及び外部電気接続領域に延伸する工程、
【００１０】
保護層を該基板上に配設し、且つ該基板上の該ディスプレイ領域と該非ディスプレイ領域を被覆し、且つ該ディスプレイ領域及び該非ディスプレイ領域の一部の導電線を露出させる工程、
【００１１】
少なくとも一つの有機発光ダイオード構造を該基板上のディスプレイ領域に配設し、且つ電気的にこれら導電線に接続する工程、
【００１２】
少なくとも一つの有機発光ダイオード構造を該基板のディスプレイ領域上にパッケージする工程。
【００１３】
これにより工程ステップ数と加工時間を減らし、並びに製造コストを減らし、またキュア後の保護層に基板上の導電線を保護させて、導電線が湿気或いは温度の影響により腐蝕するのを防止する。
【課題を解決するための手段】
【００１４】
請求項１の発明は、有機発光ダイオードディスプレイパネル装置において、
表面にディスプレイ領域と非ディスプレイ領域を具え、且つ該ディスプレイ領域と該非ディスプレイ領域が隣接している、基板と、
該基板の一表面上に配設され、且つ該ディスプレイ領域及び該非ディスプレイ領域に延伸された、少なくとも一つの導電線層と、
該基板の該ディスプレイ領域と該非ディスプレイ領域に配設され、且つ少なくとも一つの導電線層を被覆し、並びにディスプレイ領域と非ディスプレイ領域の一部導電線層を露出させる、少なくとも一つの保護層と、
該ディスプレイ領域に配置された保護層上及び該ディスプレイ領域の露出した一部導電線層を上に配設された、少なくとも一つの有機発光ダイオード構造と、
少なくとも一つの有機発光ダイオード構造を基板のディスプレイ領域において被覆し、且つ少なくとも一つの保護層上に粘着されたパッケージ体と、
を包含したことを特徴とする、有機発光ダイオードディスプレイパネル装置としている。
請求項２の発明は、請求項１記載の有機発光ダイオードディスプレイパネル装置において、少なくとも一つの導電線層が金属導電線及びインジウム錫酸化物導電線を包含することを特徴とする、有機発光ダイオードディスプレイパネル装置としている。
請求項３の発明は、請求項１記載の有機発光ダイオードディスプレイパネル装置において、少なくとも一つの保護層がホトレジスト材料層とされたことを特徴とする、有機発光ダイオードディスプレイパネル装置としている。
請求項４の発明は、請求項１記載の有機発光ダイオードディスプレイパネル装置において、少なくとも一つの保護層がポリイミド材料とされたことを特徴とする、有機発光ダイオードディスプレイパネル装置としている。
請求項５の発明は、請求項１記載の有機発光ダイオードディスプレイパネル装置において、基板の表面に更に外部電気的接続領域が包含され、且つ少なくとも一つの導電線層が該外部電気的接続領域に延伸されたことを特徴とする、有機発光ダイオードディスプレイパネル装置としている。
請求項６の発明は、有機発光ダイオードディスプレイパネル装置の製造方法において、  基板を提供し、この基板の表面にはディスプレイ領域と非ディスプレイ領域があり、該ディスプレイ領域及び該非ディスプレイ領域は隣接するものとする工程、
少なくとも一つの導電層を該基板上に形成し、且つ該ディスプレイ領域及び該非ディスプレイ領域及び外部電気接続領域に延伸する工程、
保護層を該基板上に配設し、且つ該基板上の該ディスプレイ領域と該非ディスプレイ領域を被覆させ、且つ該ディスプレイ領域及び該非ディスプレイ領域の一部の導電線を露出させる工程、
少なくとも一つの有機発光ダイオード構造を該基板上のディスプレイ領域に配設し、且つ電気的にこれら導電線に接続する工程、
少なくとも一つの有機発光ダイオード構造を該基板のディスプレイ領域上にパッケージする工程、
以上の工程を包含することを特徴とする、有機発光ダイオードディスプレイパネル装置の製造方法としている。
請求項７の発明は、請求項６記載の有機発光ダイオードディスプレイパネル装置の製造方法において、保護層の基板上への配設にはコーティング工程を採用することを特徴とする、有機発光ダイオードディスプレイパネル装置の製造方法としている。
請求項８の発明は、請求項６記載の有機発光ダイオードディスプレイパネル装置の製造方法において、保護層の基板上への配設にはディスペンサーを使用することを特徴とする、有機発光ダイオードディスプレイパネル装置の製造方法としている。
請求項９の発明は、請求項６記載の有機発光ダイオードディスプレイパネル装置の製造方法において、少なくとも一つの有機発光ダイオード構造を基板のディスプレイ領域上に配設するのにシーるカバーを利用することを特徴とする、有機発光ダイオード構造としている。
請求項１０の発明は、請求項６記載の有機発光ダイオードディスプレイパネル装置の製造方法において、基板の表面に更に外部電気的接続領域があり且つ非ディスプレイ領域に隣接し、且つ少なくとも一つの導電層が該非ディスプレイ領域に延伸されて電気的接続装置と電気的に接続されたことを特徴とする、有機発光ダイオードディスプレイパネル装置の製造方法としている。
【発明の効果】
【００１５】
本発明の有機発光ダイオードディスプレイパネル装置は、工程の改変により、有機発光ダイオード構造が基板上に未配設の時に、ホトレジストを基板上のディスプレイ領域及び非ディスプレイ領域にコーティングし、これにより、コーティング工程がパッケージ体の形状の制限を受けず、これにより保護樹脂が容易に且つ均一に基板上に配設され且つ粘着する。並びにパッケージ完成後に再度保護樹脂をコーティングする必要がなく、ゆえに工程ステップ数と加工時間が減り、こうしてコストを下げ、同時にキュア後の保護層が基板上上の導電線を保護し、導電線が湿気と温度の影響により腐蝕するのを防止する。
【発明を実施するための最良の形態】
【００１６】
図６に示されるように、本発明は一種の有機発光ダイオードディスプレイパネル装置１０及びその製造方法を提供する。この装置は、基板１１、導電線層１２、有機発光ダイオード構造１３、保護層１４及びパッケージ体１５を包含する。そのうち、導電線層１２は基板１１上に形成され、更に保護層１４が該基板１１上を被覆し、且つ該基板１１上の一部領域を露出させ、有機発光ダイオード構造１３が該基板１１上の一部領域に蒸着され、且つ電気的に該導電線層１２に接続され、更に該有機発光ダイオード構造１３が該基板１１上にパッケージされ、以上の工程の改変により、保護層１４が容易且つ強固に該基板１１及び導電線層１２上に付着し、基板１１上の導電線層１２を保護し、環境中の水気及び温度の因子により導電線層１２が酸化或いは腐蝕するのを防止する。
【００１７】
そのうち、有機発光ダイオードディスプレイパネル装置１０の工程は以下を包含する。
【００１８】
図７に示されるようにディスプレイ領域１１Ａ、非ディスプレイ領域１１Ｂ及び外部電気的接続領域１１Ｃを表面に具えると共に、ガラス基板とされうる基板１１を提供する。      
【００１９】
図８に示されるように、少なくとも一つの導電線層１２を該基板１１上に形成し、該ディスプレイ領域１１Ａ、非ディスプレイ領域１１Ｂ及び外部電気的接続領域１１Ｃに延伸し、これら導電線層１２はリソグラフィーエッチング技術で金属導線とされるかインジウムガリウム酸化物（ＩＴＯ）導線とされうる。
【００２０】
図９に示されるように、保護層１４を基板１１上に配設し、且つ基板１１上のディスプレイ領域１１Ａ及び非ディスプレイ領域１１Ｂの導電線層１２上を被覆させ、且つ該ディスプレイ領域１１Ａ及び非ディスプレイ領域１１Ｂの導電線層１２の一部領域を露出させ、該保護層１４は高誘電性、低透水性の高分子ホトレジスト材料とされ得て、該ホトレジスト材料はポリイミド材料とされ得て、且つスピンコーティングで基板１１上にコーティングされ、更にリソグラフィーエッチングの方式で、該基板１１上のホトレジストによる被覆不要な領域例えば外部電気的接続領域１１Ｃ及び一部のディスプレイ領域１１Ａのホトレジストを除去する。
【００２１】
図１０に示されるように、少なくとも一つの有機発光ダイオード構造１３がディスプレイ領域１１Ａの保護層１４及び導電線層１２上に配設され、そのうち、該有機発光ダイオード構造１３は蒸着工程により該ディスプレイ領域１１Ａ上に設置され、該有機発光ダイオード構造１３と該導電線層１２は電気的に接続され、且つ保護層１４を利用して一部の導電線層１２と絶縁される。
【００２２】
図６に示されるように、少なくとも一つの有機発光ダイオード構造１３が基板１１のディスプレイ領域１１Ａ上にパッケージされる。そのうち、パッケージ体１５を利用して有機発光ダイオード構造１３を基板１１上において被覆並びに密封する。且つ該パッケージ体１５は該ディスプレイ領域１１Ａの保護層１４上において密封、粘着する。
【００２３】
また図１１に示されるように、以上の工程の如く、大面積の基板１１上にあって、同時に複数の有機発光ダイオードディスプレイパネル装置１０を形成する時、パッケージ工程完成後に、基板１１を切削し、個別の有機発光ダイオードディスプレイパネル装置１０となし、並びにその後、更に組立工程を実行し、有機発光ダイオードディスプレイパネル装置１０の外部電気的接続領域１１Ｃと電気的接続装置を電気的に接続し（図示せず）、その他の装置と一体に組合せ且つ電気的に接続する。且つ図１２から図１４に示されるように、別の保護層１４による基板上の被覆の形式においても、いずれも外部電気的接続領域１１Ｃは露出される。
【００２４】
図１５は有機発光ダイオードディスプレイパネル装置の構造を示す。そのうち、ディスプレイ領域１１Ａは有機発光ダイオードで構成され、並びに外部の非ディスプレイ領域１１Ｂの外部電気的接続領域１１Ｃに接続された陰陽極を以てディスプレイ領域１１Ａに進入する（ディスプレイ領域１１Ａ両側の陰極導線層及びディスプレイ領域１１Ａ下方の陽極導線層を包含する）。その発光原理は陰陽極の該有機発光ダイオードの導通による発光にある。
【図面の簡単な説明】
【００２５】
【図１】周知の有機発光ダイオード表示装置の平面図である。
【図２】周知の有機発光ダイオード表示装置の断面図である。
【図３】周知の有機発光ダイオード表示装置の製造工程表示図である。
【図４】周知の有機発光ダイオード表示装置の製造工程表示図である。
【図５】周知の有機発光ダイオード表示装置の製造工程表示図である。
【図６】本発明の有機発光ダイオード表示装置の断面図である。
【図７】本発明の有機発光ダイオード表示装置の製造工程表示図である。
【図８】本発明の有機発光ダイオード表示装置の製造工程表示図である。
【図９】本発明の有機発光ダイオード表示装置の製造工程表示図である。
【図１０】本発明の有機発光ダイオード表示装置の製造工程表示図である。
【図１１】本発明の同時に複数の有機発光ダイオード表示装置を大基板に形成する時の平面図である。
【図１２】本発明の有機発光ダイオード表示装置の実施例に形成する時平面図である。
【図１３】本発明の有機発光ダイオード表示装置の実施例に形成する時平面図である。
【図１４】本発明の有機発光ダイオード表示装置の実施例に形成する時平面図である。
【図１５】本発明の有機発光ダイオード表示装置の平面図である。
【符号の説明】
【００２６】
１０ａ  有機発光ダイオードディスプレイパネル装置
１１ａ  基板
１２ａ  保護層
１３ａ  電極導線
１４ａ  未コーティング面積
１５ａ  有機発光ダイオード構造
１６ａ  パッケージ体
１７ａ  ディスプレイ領域
１０  有機発光ダイオードディスプレイパネル装置
１１  基板
１１Ａ  ディスプレイ領域
１１Ｂ  非ディスプレイ領域
１１Ｃ  外部電気的接続領域
１２  導電線層
１３  有機発光ダイオード構造
１４  保護層
１５  パッケージ体
【図１】
2006049318.tif 000003
【図２】
2006049318.tif 000004
【図３】
2006049318.tif 000005
【図４】
2006049318.tif 000006
【図５】
2006049318.tif 000007
【図６】
2006049318.tif 000008
【図７】
2006049318.tif 000009
【図８】
2006049318.tif 000010
【図９】
2006049318.tif 000011
【図１０】
2006049318.tif 000012
【図１１】
2006049318.tif 000013
【図１２】
2006049318.tif 000014
【図１３】
2006049318.tif 000015
【図１４】
2006049318.tif 000016
【図１５】
2006049318.tif 000017